(57)【要約】【課題】中皿の交換時における作業性を向上させることができるコンパクト容器を提供する。【解決手段】本発明の一態様に係るコンパクト容器１は、内容物が収容される中皿５と、内側に中皿５が収容される容器本体２と、容器本体２内において、中皿５を保持する中枠４と、を備えている。中枠４は、容器本体２に上下動可能に支持された第１支持部４１と、中皿５を支持するとともに、接続部４２を介して第１支持部に回動可能に接続された第２支持部４３と、を備えている。中枠４は、使用位置と、第１支持部４１の下方移動に伴い第２支持部４３が接続部４２回りの上方に回動することで、中皿５を使用位置よりも上方に持ち上げる取出位置と、の間を移行する。【選択図】図６
2020195538.tif 000002
【特許請求の範囲】
【請求項１】
内容物が収容される中皿と、
内側に前記中皿が収容される容器本体と、
前記容器本体内において、前記中皿を保持する中枠と、を備え、
前記中枠は、
前記容器本体に上下動可能に支持された第１支持部と、
前記中皿を支持するとともに、接続部を介して前記第１支持部に回動可能に接続された第２支持部と、を備え、
前記中枠は、使用位置と、前記第１支持部の下方移動に伴い前記第２支持部が前記接続部回りの上方に回動することで、前記中皿を前記使用位置よりも上方に持ち上げる取出位置と、の間を移行するコンパクト容器。
【請求項２】
前記第２支持部は、前記中皿の底壁部と前記容器本体の底壁部との間に配置され、前記中皿を下方から支持している請求項１に記載のコンパクト容器。
【請求項３】
前記第２支持部は、
前記容器本体の底壁部上に当接する容器当接部と、
前記容器当接部から上方に延び、前記容器本体の底壁部から離間した状態で前記中皿を支持する撓み変形可能な中皿当接部と、を備えている請求項２に記載のコンパクト容器。
【請求項４】
前記第１支持部は、前記使用位置で前記中皿に形成された被係止部に上下方向で係止される係止部を備え、
前記係止部は、前記中枠が前記使用位置から前記取出位置に移行するのに伴い、前記被係止部との係止が解除される請求項１から請求項３のいずれか一項に記載のコンパクト容器。
【発明の詳細な説明】
【技術分野】
【０００１】
本発明は、コンパクト容器に関する。
【背景技術】
【０００２】
コンパクト容器として、内容物が収容される中皿と、上方に開口する開口部を通じて中皿が収容される容器本体と、を備える構成が知られている。この種のコンパクト容器において、中皿を交換する際には、例えば容器本体の底壁部に形成された貫通孔を通して中皿を押し上げたり、中皿の上端縁に爪等を引っ掛けて引き上げたりする等の必要があった。そのため、コンパクト容器の使用者にとっては、作業性がよいとは言い切れなかった。
【０００３】
そこで、例えば下記特許文献１では、中皿が離脱部材を介して容器本体に支持された構成が開示されている。この構成によれば、中皿及び離脱部材を容器本体に対して回転させることで、離脱部材及び容器本体間の係合、並びに中皿及び容器本体の係合が解除されるとされている。
【先行技術文献】
【特許文献】
【０００４】
【特許文献１】実用新案登録第２５４４６６６号公報
【発明の概要】
【発明が解決しようとする課題】
【０００５】
しかしながら、上述したコンパクト容器では、容器本体に対して中皿や離脱部材等を相対回転させる必要があるので、中皿の交換時の作業性について未だ改善の余地があった。
【０００６】
そこで、本発明は、中皿の交換時における作業性を向上させることができるコンパクト容器を提供することを目的とする。
【課題を解決するための手段】
【０００７】
上記課題を解決するために、本発明は以下の手段を提案している。
本発明の一態様に係るコンパクト容器は、内容物が収容される中皿と、内側に前記中皿が収容される容器本体と、前記容器本体内において、前記中皿を保持する中枠と、を備え、前記中枠は、前記容器本体に上下動可能に支持された第１支持部と、前記中皿を支持するとともに、接続部を介して前記第１支持部に回動可能に接続された第２支持部と、を備え、前記中枠は、使用位置と、前記第１支持部の下方移動に伴い前記第２支持部が前記接続部回りの上方に回動することで、前記中皿を前記使用位置よりも上方に持ち上げる取出位置と、の間を移行する。
【０００８】
本態様によれば、第１支持部の押込み動作によって中枠を使用位置から取出位置に移行させることで、中皿を上方に持ち上げることができる。これにより、従来のように容器本体の下方から中皿を押し込んだり、中皿を上方から直接引き上げたりする等に比べ、中皿の交換時における作業性を向上させることができる。
【０００９】
上記態様に係るコンパクト容器において、前記第２支持部は、前記中皿の底壁部と前記容器本体の底壁部との間に配置され、前記中皿を下方から支持してもよい。
本態様によれば、中枠が使用位置から取出位置に移行する過程において、第２支持部が上方に回動する際、第２支持部と中皿とが水平面内で干渉するのを抑制できる。よって、第２支持部を使用位置と取出位置との間でスムーズに移動させることができる。
また、中皿の底壁部と容器本体の底壁部との間に第２支持部が配置されるので、例えばコンパクト容器の落下衝撃等によって容器本体に加えられた衝撃力等の荷重を第２支持部において吸収できる。これにより、中皿に伝わる荷重を軽減できるので、中皿内に収容された内容物の破損や飛散等を抑制できる。
【００１０】
上記態様に係るコンパクト容器において、前記第２支持部は、前記容器本体の底壁部上に当接する容器当接部と、前記容器当接部から上方に延び、前記容器本体の底壁部から離間した状態で前記中皿を支持する撓み変形可能な中皿当接部と、を備えていてもよい。
本態様によれば、容器本体に加えられた荷重に応じて中皿当接部が撓み変形するので、中皿に伝わる荷重をより効果的に軽減できる。
【００１１】
上記態様に係るコンパクト容器において、前記第１支持部は、前記使用位置で前記中皿に形成された被係止部に上下方向で係止される係止部を備え、前記係止部は、前記中枠が前記使用位置から前記取出位置に移行するのに伴い、前記被係止部との係止が解除されてもよい。
本態様によれば、使用位置から取出位置に移行するのに伴い被係止部と係止部との係止が解除されるので、中皿の交換時の作業性を維持した上で、使用位置において、中皿ががたついたり、中皿が中枠から外れたりする等を抑制できる。
【発明の効果】
【００１２】
上記態様に係るコンパクト容器によれば、中皿の交換時における作業性を向上させることができる。
【図面の簡単な説明】
【００１３】
【図１】蓋体を取り外した状態における実施形態に係るコンパクト容器の平面図である。
【図２】図１のＩＩ−ＩＩ線に沿う断面図である。
【図３】図１のＩＩＩ−ＩＩＩ線に沿う断面図である。
【図４】図１のＩＶ−ＩＶ線に沿う断面図である。
【図５】図１のＶ−Ｖ線に沿う断面図である。
【図６】中皿の交換作業を説明するための説明図であって、図１のＩＶ−ＩＶ線に対応する部分の断面図である。
【図７】中皿の交換作業を説明するための説明図であって、図１のＩＶ−ＩＶ線に対応する部分の断面図である。
【図８】中皿の交換作業を説明するための説明図であって、図１のＩＶ−ＩＶ線に対応する部分の断面図である。
【図９】蓋体を取り外した状態における実施形態の他の構成に係るコンパクト容器の平面図である。
【発明を実施するための形態】
【００１４】
以下、図面を参照し、本発明の実施形態に係るコンパクト容器を説明する。なお、以下で説明する各実施形態について対応する構成については、同一の符号を付して説明を省略する場合がある。
図１、図２に示すように、本実施形態のコンパクト容器１は、平面視円形状の扁平容器である。具体的に、コンパクト容器１は、容器本体２と、蓋体３（図２参照）と、中枠４と、中皿５と、を備えている。以下の説明では、容器本体２の中心軸線を容器軸Ｏといい、容器軸Ｏに沿う方向を上下方向という。この場合、コンパクト容器１において、上下方向に沿う容器本体２の底壁部１１側を下方とし、蓋体３の天壁部２１側を上方とする。また、上下方向から見た平面視で、容器軸Ｏに交差する方向を径方向といい、容器軸Ｏ回りに周回する方向を周方向という。
【００１５】
容器本体２は、平面視円形状で、上方に向けて開口する箱型に形成されている。容器本体２における周方向の一部には、上述した蓋体３がヒンジ部７を介して回転可能に接続されている。以下の説明では、径方向のうち、図２に示す容器軸Ｏとヒンジ部７とを結ぶ方向を前後方向Ｌ１といい、前後方向に直交する方向を左右方向Ｌ２という。また、コンパクト容器１において、前後方向Ｌ１でヒンジ部７に接近する側を後方といい、前後方向でヒンジ部７から離間する側を前方という。
【００１６】
容器本体２の周壁部１２は、底壁部１１の外周縁から上方に延在している。周壁部１２の前端部には、係合空間１３が形成されている。係合空間１３は、前方及び上方に開口している。係合空間１３には、プッシュピース１５が保持されている。プッシュピース１５は、係合空間１３内を前後動可能に周壁部１２に支持されている。周壁部１２のうち、係合空間１３の後方に面する部分には、前方に向けて突出する係合突部１６が形成されている。
【００１７】
図２、図３に示すように、周壁部１２において、上下方向の中央部には、径方向の内側に向けて突出する容器係止爪１８が形成されている。容器係止爪１８は、上下方向に沿う縦断面視で三角形状に形成されている。具体的に、容器係止爪１８は、下方に向かうに従い径方向の内側への突出量が漸次増加している。容器係止爪１８の下面は、容器軸Ｏに直交する平坦面に形成されている。なお、容器係止爪１８は、周壁部１２の全周に亘って形成されていてもよく、周方向に間隔をあけて複数形成されていてもよい。
【００１８】
図１、図４、図５に示すように、周壁部１２の上端縁には、径方向の内側に向けて張り出すフランジ部１２ａが形成されている。フランジ部１２ａのうち、周方向の一部には、径方向の外側に窪む凹部１９が形成されている。具体的に、凹部１９は、容器本体２において、左右方向Ｌ２で対向する位置に形成されている。但し、凹部１９の位置や大きさ等については適宜変更が可能である。
【００１９】
図２に示すように、蓋体３は、周壁部１２の後端部に、上述したヒンジ部７を介して回転可能に支持されている。蓋体３は、有頂筒状に形成されている。蓋体３は、容器本体２の上端開口部を、容器本体２の上方から開閉可能に閉塞する。
蓋体３における天壁部２１の下面には、ミラーＭが取り付けられている。
蓋体３における周壁部２２の前端部には、後方に向けて係合片２３が突出している。係合片２３は、蓋体３の閉位置において、容器本体２の上方から係合空間１３に進入して、係合空間１３内で係合突部１６に係合している。係合片２３は、上述したプッシュピース１５の後方移動に伴い、係合突部１６との係合が解除される。なお、プッシュピース１５は必須の構成ではない。
【００２０】
図１、図２に示すように、中枠４は、容器本体２内で中皿５を着脱可能に保持する。中枠４は、枠本体（第１支持部）４１と、接続部４２と、中皿支持部（第２支持部）４３と、を備えている。
枠本体４１は、平面視において、容器軸Ｏと同軸に配置された筒状に形成されている。枠本体４１は、容器本体２内に上下動可能に保持されている。本実施形態において、枠本体４１は、中枠４の内側で中皿５を保持する使用位置と、使用位置から中皿５を上昇させる取出位置（図８に示す状態）と、の間を移行する。具体的に、枠本体４１は、外筒５１と、操作部５２と、内筒５３と、を備えている。
【００２１】
外筒５１は、平面視において、容器本体２の開口部に倣って形成された円形状に形成されている。具体的に、外筒５１は、上述した各凹部１９の内周面に倣って延びる張出部５１ａと、張出部５１ａ同士の間を接続する円弧部５１ｂと、を備えている。
中枠４は、外筒５１の張出部５１ａが凹部１９内に配置されることで、容器本体２に対する容器軸Ｏ回りの相対回転が規制されている。
【００２２】
図３〜図５に示すように、外筒５１の外面には、径方向の内側に向けて窪むガイド溝５７が形成されている。ガイド溝５７は、外筒５１の下端縁で開口するとともに、外筒５１の全周に亘って形成されている。ガイド溝５７の内面のうち、下方を向く面は、下方規制部６１を構成している。下方規制部６１は、容器軸Ｏに直交する平坦面とされている。下方規制部における径方向の外側端縁は、操作部５２の外面に連なっている。なお、ガイド溝５７は、周方向に間欠的に設けられていてもよい。
【００２３】
ガイド溝５７の下部には、上方規制部６２が形成されている。上方規制部６２は、ガイド溝５７の内面から径方向の外側に突出している。上方規制部６２は、上方に向かうに従い径方向への突出量が漸次増加する三角形状に形成されている。具体的に、上方規制部６２の上面は、容器軸Ｏに直交する平坦面とされている。上方規制部６２の下面は、下方に向かうに従い径方向の内側に傾斜する傾斜面とされている。本実施形態において、上方規制部６２は、周方向に間隔をあけて複数形成されている。但し、上方規制部６２は、周方向に連続的に設けられていてもよい。
【００２４】
ガイド溝５７内には、上述した容器係止爪１８が収容されている。すなわち、容器係止爪１８は、中枠４の上下動に伴いガイド溝５７内を上下動する。容器係止爪１８は、枠本体４１が最上端位置にあるとき、上方規制部６２に上方から近接又は当接する。これにより、容器本体２に対する中枠４の上方移動が規制される。一方、容器係止爪１８は、枠本体４１が最下端位置にあるとき、下方規制部６１に下方から近接又は当接する。これにより、容器本体２に対する中枠４の下方移動が規制される。なお、枠本体４１の下方移動は、枠本体４１の下端縁が容器本体２の底壁部１１に突き当たることで規制されていてもよい。
【００２５】
内筒５３は、外筒５１の内側において、容器軸Ｏと同軸に配置されている。内筒５３は、下方に位置するものほど内径が小さい多段筒状に形成されている。具体的に、内筒５３は、大径部６４と、大径部６４の下方に段差部６５を介して連なる小径部６６と、を備えている。小径部６６における周方向の一部には、切欠き部６８が形成されている。図５に示すように、切欠き部６８は、周方向に間隔をあけて複数形成されている。段差部６５の内周縁において、切欠き部６８と周方向で重なる位置には、係止片７０が形成されている。
【００２６】
係止片７０は、段差部６５の内周縁から下方に向けて片持ちで延在している。係止片７０は、切欠き部６８内に配置されて径方向に弾性変形可能に構成されている。係止片７０の下端部には、径方向の内側に向けて突出する中皿係止部７１が形成されている。中皿係止部７１は、上下方向の両側から中央部に向かうに従い径方向への突出量が漸次増加する台形状に形成されている。係止片７０において、中皿係止部７１よりも下方に位置する部分には、中皿押さえ部７２が形成されている。中皿押さえ部７２は、係止片７０から径方向の内側に膨出している。中皿押さえ部７２における径方向の内側端面は、縦断面視において上下方向に真っすぐ形成されている。
【００２７】
図３〜図５に示すように、操作部５２は、外筒５１及び内筒５３の上端部同士を接続している。本実施形態において、操作部５２における少なくとも上端部は、容器本体２の上端縁よりも上方に位置している。操作部５２は、ガイド筒７５と、接続壁部７６と、を備えている。
ガイド筒７５は、内筒５３（大径部６４）から上方に延在している。ガイド筒７５は、縦断面視で径方向の外側かつ下方を向けて突の円弧状に形成されている。具体的に、ガイド筒７５は、上方に向かう径方向の外側に向けて延在している。
【００２８】
接続壁部７６は、外筒５１の上端縁とガイド筒７５の上端縁とを接続している。具体的に、接続壁部７６は、外筒５１の上端縁のうち、張出部５１ａに連なる幅広部７６ａ（図４参照）と、円弧部５１ｂに連なる幅狭部７６ｂ（図３参照）と、を備えている。
【００２９】
図１、図４に示すように、幅広部７６ａは、張出部５１ａの上端縁とガイド筒７５の上端縁とを接続している。幅広部７６ａは、中枠４のうち、容器軸Ｏを間に挟んで左右方向で対向する位置に形成されている。幅広部７６ａの外周部分は、幅狭部７６ｂに対して径方向の外側に張り出している。幅広部７６ａは、中枠４を操作する際に、枠本体４１を押し込む押圧部として機能する。なお、接続壁部７６は、周方向の全周に亘って一様な幅であってもよい（幅広部７６ａ及び幅狭部７６ｂを有さない構成であってもよい。）。
【００３０】
縦断面視において、幅広部７６ａの外周部分は、径方向の外側、かつ上方に向けて突の円弧状に形成されている。一方、幅広部７６ａにおける内周部分の上面は、容器軸Ｏに直交する平坦面に形成されている。但し、幅広部７６ａの上面の形状は、適宜変形が可能である。
【００３１】
図１、図３に示すように、幅狭部７６ｂは、円弧部５１ｂの上端縁と内筒５３の上端縁とを接続している。幅狭部７６ｂは、平面視において、各幅広部７６ａ同士の間を接続する円弧状に形成されている。幅狭部７６ｂは、縦断面視において、径方向の外側かつ上方に向けて突の円弧状に形成されている。
【００３２】
図３、図４に示すように、接続部４２は、内筒５３の下端内周縁に連なっている。具体的に、接続部４２は、下方に向かうに従い径方向の内側に向けて延在している。接続部４２の最大厚さは、内筒５３の最小厚さよりも薄くなっている。したがって、接続部４２は、内筒５３に比べ弾性変形が容易になっている。接続部４２及び中皿支持部４３は、周方向に間隔をあけて複数形成されている。図１の例において、接続部４２及び中皿支持部４３は、内筒５３のうち、前後方向で対向する部分に１つずつ、左右方向で対向する部分に３つずつ形成されている。但し、接続部４２及び中皿支持部４３の配列は適宜変更が可能である。
【００３３】
中皿支持部４３は、接続部４２における径方向の内側端部に連なっている。中皿支持部４３は、接続部４２を起点にして枠本体４１に対して回動可能に連結されている。中皿支持部４３は、縦断面視において、下方に向けて延在した後、径方向の内側に向けて延在するＬ字状に形成されている。具体的に、中皿支持部４３は、回り込み部８１と、容器当接部８２と、中皿当接部８３と、を備えている。
【００３４】
回り込み部８１は、接続部４２における径方向の内側端部に連なっている。回り込み部８１は、中皿５（後述する中皿本体９１）における周壁部９６と底壁部９５との角部を回り込んで、底壁部９５の下方まで達している。図示の例において、回り込み部８１は、径方向の内側に向かうに従い漸次厚さが増加している。
【００３５】
容器当接部８２は、回り込み部８１における径方向の内側端部に連なっている。容器当接部８２は、容器本体２の底壁部１１上面に沿って径方向の内側に延在している。容器当接部８２の下面は、底壁部１１上面に当接している。したがって、容器当接部８２は、容器本体２に対して下方への回動が規制されている。
【００３６】
中皿当接部８３は、容器当接部８２における径方向の内側端部に連なっている。中皿当接部８３は、容器当接部８２から径方向の内側に向かうに従い上方に傾斜して延在した後、さらに径方向の内側に向けて延在している。中皿当接部８３の最大厚さは、容器当接部８２の最小厚さよりも薄くなっている。すなわち、中皿当接部８３は、容器当接部８２に比べて弾性変形が容易になっている。
【００３７】
図６〜図８に示すように、中皿支持部４３は、枠本体４１の上下動に伴い、接続部４２を起点にして回動可能に構成されている。すなわち、中皿支持部４３は容器本体２に対する下方移動が規制されているため、枠本体４１及び接続部４２の下方移動に伴い、接続部４２を起点に回動する。具体的に、中皿支持部４３は、容器本体２の底壁部１１上を径方向の内側に向けて摺動しつつ、接続部４２回りの上方に向けて回動する。これにより、中皿支持部４３は、容器当接部８２のうち外周部分（回り込み部８１付近）が容器本体２の底壁部１１上に支持された状態で、内周部分が容器本体２の底壁部１１から浮き上がる。
【００３８】
図３〜図５に示すように、中皿５は、中枠４の内側に着脱可能に取り付けられる。中皿５は、中皿本体９１と、フランジ部９２と、を備えている。
中皿本体９１は、上方に開口する有底筒状に形成されている。中皿本体９１内には、例えば化粧料等の内容物が収容される。中皿本体９１の底壁部９５は、外周縁において上述した中皿当接部８３に支持されている。すなわち、中皿本体９１は、容器本体２の底壁部１１から上方に離間した状態で、容器本体２内に収容されている。
【００３９】
中皿本体９１の周壁部９６には、径方向の内側に向けて窪む被係止部９７が形成されている。被係止部９７は、上下方向の両側から中央部に向かうに従い径方向の内側への凹み量が漸次増加している。被係止部９７には、中皿係止部７１が係止されている。また、中皿係止部７１が被係止部９７内に係止された状態において、中皿押さえ部７２は周壁部９６のうち被係止部９７よりも下方に位置する部分に径方向の外側から近接又は当接している。なお、被係止部９７は、周壁部９６における全周に亘って連続的に形成されていても、周方向に間隔をあけて形成されていてもよい。
【００４０】
フランジ部９２は、周壁部９６の上端部から径方向の外側に向けて張り出している。フランジ部９２は、上述した段差部６５の上方において、大径部６４の内側に収容されている。中皿５の使用位置において、フランジ部９２の上面とガイド筒７５の内周面とは、滑らかに連なっていることが好ましい。蓋体３の内面、フランジ部９２の上面及びガイド筒７５の内周面は、パフ等の塗布具Ｐを収容する塗布具収容空間Ｓを画成している。
【００４１】
次に、上述したコンパクト容器１の使用方法として、中皿５の交換方法について説明する。
中皿５を交換する際には、まず蓋体３を開位置にする。
続いて、図６に示すように、枠本体４１を下方に押し込む。具体的には、各幅広部７６ａに指を押し当て、枠本体４１を下方に向けて押し込む。すると、枠本体４１や接続部４２が容器本体２に対して下方に移動する。この際、図６〜図８に示すように、中皿支持部４３は、容器本体２に対する下方移動が規制されているため、枠本体４１及び接続部４２の下方移動に伴い、接続部４２を起点に上方に向けて回動する。これにより、中皿支持部４３は、容器当接部８２のうち外周部分（回り込み部８１）が容器本体２の底壁部１１上に支持された状態で、内周部分（容器当接部８２及び中皿当接部８３）が容器本体２の底壁部１１から浮き上がる。
【００４２】
中皿支持部４３が接続部４２回りの上方に向けて回動すると、中皿支持部４３に支持された中皿５が上昇する。すなわち、本実施形態では、枠本体４１の下方への押込み操作に伴い、中皿５を上昇させることができる。中皿５が上昇する過程において、中皿係止部７１と被係止部９７との係止が解除される。その後、下方規制部６１が容器係止爪１８に上方から近接又は当接する位置まで枠本体４１を押し込む。これにより、中枠４が取出位置まで移動し、中皿５が取り出し可能な状態となる。
【００４３】
取出位置では、中皿５の上端縁が枠本体４１や容器本体２よりも上方に位置するとともに、中皿係止部７１と被係止部９７との係止が解除されている。本実施形態において、取出位置は、枠本体４１が最下端位置にあり、中皿支持部４３の内周部分が上方に浮き上がった状態である。すなわち、取出位置において、中皿５は、中皿当接部８３のみによって下方から支持された状態となる。そのため、中皿５は、フランジ部９２等を把持して、簡単に取り外すことができる。
【００４４】
なお、新たな中皿５を装着する場合には、始めに新たな中皿５を中皿当接部８３上にセットする。すなわち、中皿５の底壁部９５が中皿当接部８３によって支持された状態とする。続いて、中皿５の上端縁等を介して中皿５を下方に押し込む。すると、中皿５を介して中皿支持部４３が下方に押し込まれることで、中皿支持部４３が接続部４２を起点に下方に向けて回動する。中皿支持部４３が接続部４２回りの下方に向けて回動することで、中皿５が下方に向けて移動するとともに、枠本体４１が上方に向けて移動する。
【００４５】
中皿５の下方移動に伴い、被係止部９７内に中皿係止部７１が係止されることで、枠本体４１に対する中皿５の上下動が規制される。その後、容器当接部８２が容器本体２の底壁部１１上に当接する位置まで中皿５を押し込む。これにより、中枠４が使用位置まで移動する。使用位置では、中皿５の上端縁が枠本体４１の上端縁より下方に位置するとともに、被係止部９７内に中皿係止部７１が係止されている。本実施形態において、使用位置は、枠本体４１が最上端位置にあり、容器当接部８２が容器本体２の底壁部１１に当接した状態である。また、本実施形態では、使用位置において、フランジ部９２が大径部６４と段差部６５との間に収容されている。
以上により、中皿５の交換作業が終了する。
【００４６】
なお、本実施形態において、取出位置は、枠本体４１が使用位置よりも下方に位置し、かつ中皿支持部４３が上方に回動していればよい。すなわち、本実施形態において、中枠４は、取出位置において中皿５を使用位置よりも上方に持ち上げていればよい。この場合、取出位置において、中皿５の上端縁は、枠本体４１の上端縁と上下方向で同じ位置、若しくは下方に配置されていてもよい。
【００４７】
このように、本実施形態では、枠本体４１の上下動に伴い、中皿支持部４３が中皿５を上下動させる構成とした。
この構成によれば、枠本体４１の押込み動作によって中皿５を上方に持ち上げることができる。これにより、従来のように容器本体の下方から中皿を押し込んだり、中皿を上方から直接引き上げたりする等に比べ、中皿５の交換時における作業性を向上させることができる。
【００４８】
本実施形態では、中皿支持部４３が中皿５の底壁部９５と容器本体２の底壁部１１との間に配置され、中皿５を下方から支持する構成とした。
この構成によれば、中枠４が使用位置から取出位置に移行する過程において、中皿支持部４３が上方に回動する際、中皿支持部４３と中皿５とが水平面内で干渉するのを抑制できる。よって、中皿支持部４３を使用位置と取出位置との間でスムーズに移動させることができる。
また、中皿５の底壁部９５と容器本体２の底壁部１１との間に中皿支持部４３が配置されるので、例えばコンパクト容器１の落下衝撃等によって容器本体２に加えられた衝撃力等の荷重を中皿支持部４３において吸収できる。これにより、中皿５に伝わる荷重を軽減できるので、中皿５内に収容された内容物の破損や飛散等を抑制できる。
【００４９】
本実施形態では、中皿支持部４３が容器本体２の底壁部１１から離間した状態で中皿５を支持する撓み変形可能な中皿当接部８３を備える構成とした。
この構成によれば、容器本体２に加えられた荷重に応じて中皿当接部８３が撓み変形するので、中皿５に伝わる荷重をより効果的に軽減できる。
【００５０】
本実施形態では、枠本体４１が使用位置において中皿５の被係止部９７に係止される中皿係止部７１を備える構成とした。
この構成によれば、使用位置から取出位置に移行するのに伴い被係止部９７と中皿係止部７１との係止が解除されるので、中皿５の交換時の作業性を維持した上で、使用位置において、中皿５ががたついたり、中皿５が中枠４から外れたりする等を抑制できる。
【００５１】
本実施形態では、使用位置において、中皿５のフランジ部９２が、中枠４のうち、段差部６５の上方において大径部６４の内側に収容される構成とした。
この構成によれば、使用位置において、中皿５と枠本体４１との間に指等が挿入し難くなる。これにより、使用位置で中皿５が取り出し難くなるので、中皿５が不意に取り出される等のおそれを抑制できる。
【００５２】
以上、本発明の実施形態について図面を参照して詳述したが、具体的な構成はこの実施形態に限られるものではなく、本発明の要旨を逸脱しない範囲の設計変更等も含まれる。
例えば、上述した実施形態では、中皿支持部４３が中皿５の底壁部９５を支持する構成について説明したが、この構成に限られない。中皿支持部（第２支持部）は、例えば中皿５の周壁部９６を支持する構成等であってもよい。この場合には、中皿５の底壁部９５は、容器本体２の底壁部１１に接触していてもよい。
上述した実施形態では、中皿５が容器当接部８２から延びる中皿当接部８３を介して支持された構成について説明したが、この構成に限られない。
【００５３】
上述した実施形態では、中皿５と中枠４とが使用位置において係止される構成について説明したが、この構成に限られない。
【００５４】
その他、本発明の趣旨を逸脱しない範囲で、上述した実施形態における構成要素を周知の構成要素に置き換えることは適宜可能であり、また、前記変形例を適宜組み合わせてもよい。
【符号の説明】
【００５５】
１…コンパクト容器
２…容器本体
４…中枠
５…中皿
１１…底壁部
４１…枠本体（第１支持部）
４２…接続部
４３…中皿支持部（第２支持部）
８２…容器当接部
８３…中皿当接部
９１…中皿本体
９５…底壁部
【図１】
2020195538.tif 000003
【図２】
2020195538.tif 000004
【図３】
2020195538.tif 000005
【図４】
2020195538.tif 000006
【図５】
2020195538.tif 000007
【図６】
2020195538.tif 000008
【図７】
2020195538.tif 000009
【図８】
2020195538.tif 000010
【図９】
2020195538.tif 000011